(57)【要約】      （修正有）【課題】構造全体の鉄筋の使用量を減少させてコストの上昇を抑えることのできるらせん筋複合構造を提供する。【解決手段】軸方向に沿って連なる複数の第１外周枠２１０によってなる第１らせん筋２００と、軸方向に沿って連なる複数の第２外周枠３１０によってなる第２らせん筋３００とによってなり、それぞれの外周枠は、底辺２１１，３１１と、上辺２１２，３１２と、該上辺の一端と該底辺の一端とを連結する第１側辺２１３，３１３と、該底辺の他端と次に連なる外周枠の上辺の一端とを連結する第２側辺２１４，３１４とによって構成され、該第１らせん筋に内部空間が形成され、該内部空間に該第２らせん筋を挿入して上面と底面に該第１外周枠と該第２外周枠が交錯する網状の交錯面を形成し、該第１外周枠と該第２外周枠とを接続する。【選択図】図１
0003131052.tif 000002
【実用新案登録請求の範囲】
【請求項１】
軸方向に沿って連なる複数の第１外周枠によってなる第１らせん筋と、
軸方向に沿って連なる複数の第２外周枠によってなる第２らせん筋とによってなり、
該第１外周枠は、底辺と、上辺と、該上辺の一端と該底辺の一端とを連結する第１側辺と、該底辺の他端と次に連なる第１外周枠の上辺の一端とを連結する第２側辺とによって構成され、
該第２外周枠は、底辺と、上辺と、該上辺の一端と該底辺の一端とを連結する第１側辺と、該底辺の他端と次に連なる第２外周枠の上辺の一端とを連結する第２側辺とによって構成され、
該第1らせん筋には該第１外周枠が軸方向に沿って連なることによって内部空間が形成され、該内部空間に該第２らせん筋を挿入して上面と底面に該第１外周枠と該第2外周枠が交錯する網状の交錯面を形成し、該第1外周枠と該第２外周枠とを接続することを特徴とするらせん筋複合構造。
【請求項２】
前記複数の第1外周枠、または該複数の第2外周枠の間に形成されるそれぞれのピッチが５０ｍｍから１１０ｍｍの範囲内にあることを特徴とする請求項１に記載のらせん筋複合構造。
【請求項３】
前記第2側辺の延伸する方向に沿った線と、該第1側辺の延伸する方向に沿った線とが夾角を形成し、該第2側辺が該夾角の角度をもって次に連なる第2側辺に連結することを特徴とする請求項１に記載のらせん筋複合構造。
【請求項４】
前記夾角が３０度以下の鋭角であることを特徴とする請求項３に記載のらせん筋複合構造。
【請求項５】
1対の長手側らせん筋複合構造と、1対の短手側らせん筋複合構造とによって構成するコンクリートプレート骨組みであって、
該長手側らせん筋複合構造と該短手側らせん筋複合とが、それぞれ第１らせん筋と第２らせん筋とによってなる請求項１に記載するらせん筋複合構造であって、かつ該長手側らせん筋複合構造の該第２らせん筋の長手方向の長さを該第１らせん筋の長手方向の長さより長くして、該第２らせん筋の両端縁部を長手側接続部とし、
該短手側らせん筋複合構造の第２らせん筋の長手方向の長さを該第１らせん筋の短手方向の長さより長くして、該第２らせん筋の両端縁部を短手側接続部とし、
該長手側接続部と該短手側接続とを接続して該長手側らせん筋複合構造と、該短手側らせん筋複合構造とを連結することを特徴とするコンクリートプレート骨組み。
【考案の詳細な説明】
【技術分野】
【０００１】
この考案は土木工程に使用するらせん筋複合構造に関する。
【背景技術】
【０００２】
建築物の構造強度に対する要求が高まるにつれて、らせん鉄筋によって構成する構造体の強度が、斯業の構造設計の分野で重視されている。かかる技術に関連して、業界では、さらに経済的で効率のよい設計と施工の方法を絶え間なく研究、開発している。
【０００３】
らせん鉄筋は、目下梁、柱などの構造に多用される帯筋である。一部の大型の、もしくは特殊な設計の針、柱構造においては、らせん鉄筋を枠組みの主体とするか、もしくは鉄骨と組み合わせて用いる。特に、プレキャスト構造においては、らせん鉄筋を大量に用いる。
【０００４】
しかしながら、らせん鉄筋を用いて構造体の強度をさらに高めようとするのであれば、使用する鉄筋を太いものにしなければならない。但し、単に鉄筋を太いものにしただけでは、増強の範囲に限りがあるのみならず、コストも高くなる。そこで、コンクリートプレキャスト部材の構造上の強度を増加する一方で、コストの増加を抑制し、かつ好ましい施工の効率が得られるらせん鉄筋を用いた新規な構造の開発が望まれている。
【考案の開示】
【考案が解決しようとする課題】
【０００５】
この考案は、コンクリートを打設して形成する構造体の枠組みとするらせん筋の複合構造であって、構造全体の鉄筋の使用量を減少させてコストの上昇を抑えることのできるらせん筋複合構造を提供することを課題とする。
【課題を解決するための手段】
【０００６】
そこで本考案者は、従来の技術に鑑み鋭意研究を重ねた結果、軸方向に沿って連なる複数の第１外周枠によってなる第１らせん筋と、
軸方向に沿って連なる複数の第２外周枠によってなる第２らせん筋とによってなり、
該第１外周枠は、底辺と、上辺と、該上辺の一端と該底辺の一端とを連結する第１側辺と、該底辺の他端と次に連なる第１外周枠の上辺の一端とを連結する第２側辺とによって構成され、
該第２外周枠は、底辺と、上辺と、該上辺の一端と該底辺の一端とを連結する第１側辺と、該底辺の他端と次に連なる第２外周枠の上辺の一端とを連結する第２側辺とによって構成され、
該第1外周枠には軸方向に沿って内部空間が形成され、該内部空間に該第２らせん筋を挿入して上面と底面に該第１外周枠と該第2外周枠が交錯する網状の交錯面を形成し、該第1外周枠と該第２外周枠とを連結するらせん筋複合構造の構造と、その製造方法によって課題を解決できる点に着眼し、係る知見に基づき本考案を完成させた。
以下、この考案について具体的に説明する。
【０００７】
請求項１に記載するらせん筋複合構造は、軸方向に沿って連なる複数の第１外周枠によってなる第１らせん筋と、
軸方向に沿って連なる複数の第２外周枠によってなる第２らせん筋とによってなり、
該第１外周枠は、底辺と、上辺と、該上辺の一端と該底辺の一端とを連結する第１側辺と、該底辺の他端と次に連なる第１外周枠の上辺の一端とを連結する第２側辺とによって構成され、
該第２外周枠は、底辺と、上辺と、該上辺の一端と該底辺の一端とを連結する第１側辺と、該底辺の他端と次に連なる第２外周枠の上辺の一端とを連結する第２側辺とによって構成され、
該第1外周枠には軸方向に沿って内部空間が形成され、該内部空間に該第２らせん筋を挿入して上面と底面に該第１外周枠と該第2外周枠が交錯する網状の交錯面を形成し、該第1外周枠と該第２外周枠とを連結する。
【０００８】
請求項２に記載するらせん筋複合構造は、請求項１における複数の第1外周枠、または該複数の第2外周枠の間に形成されるそれぞれのピッチが５０ｍｍから１１０ｍｍの範囲内にある。
【０００９】
請求項３に記載するらせん筋複合構造は、請求項１における第2側辺の延伸する方向に沿った線と、該第１側辺の延伸する方向に沿った線とが夾角を形成し、該第２側辺が該夾角の角度をもって次に連なる第２側辺に連結する。
【００１０】
請求項４に記載するらせん筋複合構造は、請求項３における夾角が３０度以下の鋭角である。
【００１１】
請求項５に記載するコンクリートプレート骨組みは、1対の長手側らせん筋複合構造と、1対の短手側らせん筋複合構造とによって構成するコンクリートプレート骨組みであって、
該長手側らせん筋複合構造と該短手側らせん筋複合とが、それぞれ第１らせん筋と第２らせん筋とによってなる請求項１に記載するらせん筋複合構造であって、かつ該長手側らせん筋複合構造の該第２らせん筋の長手方向の長さを該第１らせん筋の長手方向の長さより長くして、該第２らせん筋の両端縁部を長手側接続部とし、
該短手側らせん筋複合構造の第２らせん筋の長手方向の長さを該第１らせん筋の短手方向の長さより長くして、該第２らせん筋の両端縁部を短手側接続部とし、
該長手側接続部と該短手側接続とを接続して該長手側らせん筋複合構造と、該短手側らせん筋複合構造とを連結する。
【考案の効果】
【００１２】
この考案によるらせん筋複合構造は、コンクリートプレキャスト部材の強度を増強する一方で、全体的な鉄筋の使用量を減少させ、コストの上昇を抑えることができるとともに、様々な目的のコンクリートプレキャスト部材に幅広く応用できるという利点がある。
【考案を実施するための最良の形態】
【００１３】
図１、２に、この考案によるらせん筋複合構造を開示する。図面によれば、この考案によるらせん筋複合構造１００は、第１らせん筋２００と第２らせん筋３００とを組み合わせて構成する。
【００１４】
第１らせん筋２００は、軸方向２２０に沿って連なる複数の第１外周枠２１０によってなる。第１外周枠２１０は、底辺２１１と、上辺２１２と、上辺２１２の一端と底辺２１１の一端とを連結する第１側辺２１３と、底辺２１１の他端と次に連なる第１外周枠２１０の上辺２１２の一端とを連結する第２側辺２１４とによって構成される。
【００１５】
また、複数の第１外周枠２１０が軸方向２２０に沿って連なることによって、第２らせん筋３００を挿入する内部空間２４０が形成される。
【００１６】
隣り合う両第１外周枠２１０の間のピッチを第１ピッチ２３０とする。第１ピッチ２３０５０ｍｍから１１０ｍｍとする。
【００１７】
第２側辺２１４の延伸する方向に沿った線は、第１側辺２１３の延伸する方向に沿った線と夾角を形成する。第２側辺２１４は該夾角の角度を以って次に連なる第１外周枠２１０の上辺２１２に連なる。この角度は３０度以下の鋭角とする。
【００１８】
第２らせん筋３００は、軸方向３２０に沿って連なる複数の第２外周枠３１０によってなる。第２外周枠３１０は、底辺３１１と、上辺３１２と、上辺３１２の一端と底辺３１１の一端とを連結する第１側辺３１３と、底辺３１１の他端と次に連なる第２外周枠３１０の上辺３１２の一端とを連結する第２側辺３１４とによって構成される。
【００１９】
また、隣り合う両第２外周枠３１０の間のピッチを第２ピッチ３３０とする。第２ピッチ３３０は５０ｍｍから１１０ｍｍとする。
【００２０】
第２側辺３１４の延伸する方向に沿った線は、第１側辺３１３の延伸する方向に沿った線と夾角を形成する。第２側辺３１４は該夾角の角度を以って次に連なる第２外周枠３１０の上辺３１２に連なる。この角度は３０度以下の鋭角とする。
【００２１】
また、第２らせん筋３００の短手方向の幅は第１らせん筋２００の内部空間２４０の幅よりやや狭くする。
【００２２】
上述する第１らせん筋２００、第２らせん筋３００は鉄筋を折り曲げて連続する複数の第１外周枠２１０、第２外周枠３１０を形成する。但し、第１らせん筋２００であれば第１外周枠２１０を、第２らせん筋３００であれば第２外周枠３１０を個々に形成し、これらを溶接またはボルトなどによる連結で接続して構成してもよい。
【００２３】
また、それぞれの第１外周枠２１０、または第２外周枠３１０はいずれも同様のサイズとする。但し、この考案によるらせん筋複合構造を応用するコンクリートプレキャスト部材の形状、必要とされる強度などに応じて、それぞれを異なるサイズにしてもよい。
【００２４】
第１らせん筋２００と、第２らせん筋３００とを組み立てた状態を図２に開示する。図面によれば、第２らせん筋３００は、第１らせん筋２００に形成される内部空間２４０に嵌挿してらせん筋複合構造１００を構成する。この場合、第１らせん筋２００の軸方向と第２らせん筋３００の軸方向３３０は直交する。よって、第１外周枠２１０の上辺２１２と第２外周枠３１０の上辺３１２とが直交して網状の交錯面を形成する。また、第１外周枠２１０の底辺２１１と第２外周枠３１０の底辺３１１とが直交して網状の交錯面を形成する。
【００２５】
第１ピッチ２３０と第２ピッチ３３０とを同一のサイズとした場合、上述する網状の交錯面は正方形の格子状となり第１ピッチ２３０と第２ピッチ３３０のサイズが異なる場合は長方形の格子による網状の交錯面が形成される。
【００２６】
第２らせん筋３００を第１らせん筋２００の内部空間２４０に嵌挿した後、それぞれの上辺２１２、３１２と、それぞれの底辺２１１、３１１とが接触する箇所をスポット溶接で接続するか、もしくは繋着する。
【００２７】
第１らせん筋２００と第２らせん筋３００とは同一の線番であって、直径が同一の鉄筋でそれぞれ形成する。但し、この考案によるらせん筋複合構造を応用するコンクリートプレキャスト部材の形状、必要とされる強度などに応じて、それぞれを異なる直径の鉄筋にしてもよい。
【００２８】
図３から図６に開示するように、この考案によるらせん筋複合構造は、コンクリートプレキャスト部材の骨組みに応用することができる。図面によれば、コンクリートプレート骨組み４００は、１対の長手側らせん筋複合構造５００と、１対の短手側らせん筋複合構造６００とを組み立ててなる。
【００２９】
図４に開示するように、長手側らせん筋複合構造５００は、第１らせん筋５１０と第２らせん筋５２０とによってなる。
【００３０】
長手側らせん筋複合構造５００の第１らせん筋５１０は、軸方向５１２に沿って連なる複数の第１外周枠５１１によってなる。第１外周枠５１１は、底辺５１１０と、上辺５１１１と、上辺５１１１の一端と底辺５１１０の一端とを連結する第１側辺５１１２と、底辺５１１０の他端と次に連なる第１外周枠５１１の上辺５１１１の一端とを連結する第２側辺５１１３とによって構成される。
【００３１】
また、複数の第１外周枠５１１が軸方向５２１に沿って連なることによって、第２らせん筋５２０を挿入する内部空間５１４が形成される。
【００３２】
隣り合う両第１外周枠５１１の間のピッチを第１ピッチ５１３とする。
【００３３】
その他、第１外周枠５１１の製造方法、第１ピッチ５１３の幅、第２側辺５１１３の角度などについては、上述する第１らせん筋２００の場合と同様であるためここでは詳述しない。
【００３４】
長手側らせん筋複合構造５００の第２らせん筋５２０は、軸方向５２２に沿って連なる複数の第２外周枠５２１によってなる。第２外周枠５２１は、底辺５２１０と、上辺５２１１と、上辺５２１１の一端と底辺５２１０の一端とを連結する第１側辺５２１２と、底辺５２１０の他端と次に連なる第２外周枠５２１の上辺５２１１の一端とを連結する第２側辺５２１３とによって構成される。
【００３５】
また、第２らせん筋５２０の短手方向の幅は第１らせん筋５１０の内部空間５１４の幅よりやや狭くする。
【００３６】
隣り合う両第２外周枠５２１の間のピッチを第２ピッチ５２３とする。
【００３７】
その他、第２外周枠５２１の製造方法、第２ピッチ５２３の幅、第２側辺５２１３の角度などについては、上述する第１らせん筋２００の場合と同様であるためここでは詳述しない。
【００３８】
また、第２らせん筋５２０の長手方向の長さを第１らせん筋５１０の長手方向の長さより長くする。よって、第１らせん筋５１０の内部空間５１４に第２らせん筋５２０を挿入した場合、図３に開示するように第１らせん筋５１０と第２らせん筋５２０と長さの差によって第１らせん筋５１０の両端縁部が長手側接続部５２５になる。
【００３９】
長手側らせん筋複合構造５００は、第２らせん筋５２０を第１らせん筋５１０の内部空間５１４嵌挿した後、それぞれの上辺５１１１、５１１２と、それぞれの底辺５１１０、５２１０とが接触する箇所をスポット溶接で接続するか、もしくは繋着する。この場合、上述するように、第２らせん筋５２０の両端縁部が長手側接続部５２５になる。
【００４０】
図５に開示するように、短手側らせん筋複合構造６００は第１らせん筋６１０と第２らせん筋６２０とによってなる。
【００４１】
短手側らせん筋複合構造６００の第１らせん筋６１０は軸方向６１２に沿って連なる複数の第１外周枠６１１によってなる。第１外周枠６１１は、底辺６１１０と、上辺６１１１と、上辺６１１１の一端と底辺６１１０の一端とを連結する第１側辺６１１２と、底辺６１１０の他端と次に連なる第１外周枠６１１の上辺６１１１の一端とを連結する第２側辺６１１３とによって構成される。
【００４２】
また、複数の第１外周枠６１１が軸方向６１２に沿って連なることによって、第２らせん筋６２０を挿入する内部空間６１４が形成される。
【００４３】
隣り合う両第１外周枠６１１の間のピッチを第１ピッチ６１３とする。
【００４４】
その他、第１外周枠６１１の製造方法、第１ピッチ６１２の幅、第２側辺６１１３の角度などについては、上述する第１らせん筋２００の場合と同様であるためここでは詳述しない。
【００４５】
短手側らせん筋複合構造６００の第２らせん筋６２０は、軸方向６２２に沿って連なる複数の第２外周枠６２１によってなる。第２外周枠６２１は、底辺６２１０と、上辺６２１１と、上辺６２１１の一端と底辺６２１０の一端とを連結する第１側辺６２１２と、底辺６２１０の他端と次に連なる第２外周枠６２１の上辺６２１１の一端とを連結する第２側辺６２１３とによって構成される。
【００４６】
また、第２らせん筋６２０の短手方向の幅は第１らせん筋６１０の内部空間６１４の幅よりやや狭くする。
【００４７】
隣り合う両第２外周枠６２１の間のピッチを第２ピッチ６２３とする。
【００４８】
第２外周枠６２１の製造方法、第２ピッチ６２３の幅、第２側辺６２１３の角度、などについては、上述する第２らせん筋３００の場合と同様であるためここでは詳述しない。
【００４９】
短手側らせん筋複合構造６００においては第２らせん筋６２０の長手方向の長さを第１らせん筋６１０の短手方向の長さより長くする。よって、第１らせん筋６１０の内部空間６１４に第２らせん筋６２１を挿入した場合、第１らせん筋６１０の短手方向の長さと、第２らせん筋６２０の長手方向の長さの差によって第２らせん筋６２０の両端縁部に短手側接続部６２５が形成される。
【００５０】
短手側らせん筋複合構造６００は、第２らせん筋６２０を第１らせん筋６１０の内部空間６１４に嵌挿した後、それぞれの上辺６１１１、６２１１と、それぞれの底辺６１１０、６２１０とが接触する箇所をスポット溶接で接続するか、もしくは繋着する。この場合、上述するように、第２らせん筋６２０の両端縁部が短手側接続部６２５になる。
【００５１】
長手側接続部５１４、短手側接続部６１４の長さの範囲は上述するように第１らせん筋５１０、６１０の長さと、第２らせん筋５２０、６２０の長さの差によって限定される。よって、本考案を実施する場合は実際の状況に応じて長手接続部５１４、短手側接続部６１４の長さを適宜に調整する。
【００５２】
長手側らせん筋複合構造５００と、短手側らせん筋複合構造６００とを組み立ててコンクリートプレート骨組み４００を構成する場合は、長手側接続部５１４を短手側接続部６１４に嵌挿して連結する。この場合、スポット溶接するか、繋着するか、もしくは連結鉄筋、継ぎ手鉄筋などを用いる。これら連結方法は従来の技術に属するので詳述しない。
【００５３】
コンクリートプレート骨組み４００はコンクリートを打設してプレート状とし、建築物のスラブ、壁面などに用いるか、または路面に敷設するか、橋梁に敷設する。
【００５４】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００５５】
【図１】この考案によるらせん筋複合構造の構造を示した説明図である。
【図２】図１に開示するらせん筋複合構造を組み立てた状態を示した説明図である。
【図３】この考案によるらせん筋複合構造を応用したコンクリートパネル骨組みの構造を示した説明図である。
【図４】図３における短手側らせん筋複合構造の構造を示した説明図である。
【図５】図３における長手側らせん筋複合構造の構造を示した説明図である。
【図６】図３に開示するコンクリートパネルの骨組みを組み立てた状態を示した説明図である。
【符号の説明】
【００５６】
１００            らせん複合構造
２００            第１らせん筋
２１０            第１外周枠
２１１            底辺
２１２            上辺
２１３            第１側辺
２１４            第２側辺
２２０            軸方向
２３０            第１ピッチ
２４０            内部空間
３００            第2らせん筋
３１０            第２外周枠
３１１            底辺
３１２            上辺
３１３            第１側辺
３１４            第2側辺
３２０            軸方向
３３０            第２ピッチ
４００            コンクリートプレート骨組み
５００            長手側らせん筋複合構造
５１０            第１らせん筋
５１１            第１外周枠
５１１０          底辺
５１１１          上辺
５１１２          第１側辺
５１１３          第２側辺
５１２            軸方向
５１３            第１ピッチ    
５１４            内部空間
５２０            第２らせん筋
５２１            第２外周枠
５２１０          底辺
５２１１          上辺
５２１２          第１側辺
５２１３          第２側辺
５２２            軸方向
５２３            ピッチ
５２４            内部空間
５２５            長手側接続部
５４０            軸方向
５５０            内部空間
６００            短手側らせん筋複合構造
６１０            第１らせん筋
６１１            第１外周枠
６１１０          底辺
６１１１          上辺
６１１２          第１側辺
６１１３          第２側辺
６１２            軸方向
６１３            第１ピッチ
６１４            内部空間
６２０            第２らせん筋
６２１            第２外周枠
６２２            軸方向
６２１０          底辺
６２１１          上辺
６２１２          第１側辺
６２１３          第２側辺
６２３            第２ピッチ
６２５            短手側接続部
【図１】
0003131052.tif 000003
【図２】
0003131052.tif 000004
【図３】
0003131052.tif 000005
【図４】
0003131052.tif 000006
【図５】
0003131052.tif 000007
【図６】
0003131052.tif 000008